(57)【要約】【課題】横桟が内部に収納されていて外部に露出せず、埃が溜まりにくく且つ強度的及び外観にも優れた透光パネルを提供するにある。【解決手段】透光パネルＡの枠体１は、左右一対で、その対向内側面３ｂの表裏両角部を長手方向に沿って段状に切落して形成されたパネル端取付段部３ａを有する縦枠材３と、前記縦枠材３の上下両端部にそれぞれ架設された横枠材２とで構成されている。内側横桟５は縦枠材３間に架設されている。透光板７は幅方向にて分割された縦長材で、枠体１の表裏に配設される。外側縦桟８は隣接する透光板７の間に配設され、透光板７の側辺部７ａを覆う。透光板７の側辺部７ａは側辺の外面側が段状に切落されて薄肉のが形成されている。外側縦桟８はその側辺の内面側が段状に切落されて内面側に凸条８ａが形成されている。凸条８ａの両側には薄肉の嵌め込み用側辺部８ｂが形成され、透光板７の側辺部７ａに嵌め込まれる。【選択図】        図２
2016176278.tif 000002
【特許請求の範囲】
【請求項１】
左右一対で、その対向内側面の表裏両角部を長手方向に沿って段状に切落して形成されたパネル端取付段部を有する縦枠材と、前記縦枠材の上下両端部にそれぞれ架設された横枠材とで構成された枠体と、
前記縦枠材間に架設された１乃至複数本の内側横桟と、
枠体の幅方向にて分割された縦長で、枠体の表裏に配設された複数枚の透光板と、
隣接する透光板の間に配設され、該側辺部を覆う外側縦桟とで構成され、
透光板の側辺の外面側が段状に切落されて薄肉の側辺部が形成され、
外側縦桟の側辺の内面側が段状に切落されて内面側に形成された凸条の両側に、前記透光板の側辺部に嵌め込まれる、薄肉の嵌め込み用側辺部が形成されていることを特徴とする透光パネル。
【請求項２】
外側縦桟の凸条の内面を化粧面とすることを特徴とする請求項１に記載の透光パネル。
【請求項３】
透光板の側辺部に化粧面を設けたことを特徴とする請求項１又は２に記載の透光パネル。
【請求項４】
横枠材と内側横桟との間、或いは横枠材と内側横桟との間及び上下にて隣接する内側横桟との間に１乃至複数の内側縦桟が外側縦桟に沿って更に取り付けられ、
内側縦桟の表裏両面に長手方向全長に亘る凹溝が形成され、且つ、
前記凹溝に一致して内側横桟の表裏両面に取付溝が形成され、
外側縦桟の凸条が前記凹溝及び取付溝に嵌め込まれて固着されるようになっていることを特徴とする請求項１に記載の透光パネル。
【請求項５】
内側横桟の前後幅は、縦枠材の前記パネル端取付段部間の内側面の前後幅に等しく形成されていることを特徴とする請求項１〜４のいずれかに記載の透光パネル。
【請求項６】
内側縦桟の前後幅は、内側横桟の前後幅に等しく形成されていることを特徴とする請求項４に記載の透光パネル
【請求項７】
請求項１〜６のいずれかに記載の格子パネルと、
格子パネルの少なくとも一方の側端に設けられ、格子パネルの縦枠材を収納する収納溝が端面の全長に亘って形成された縦框とで構成されることを特徴とする建具。
【発明の詳細な説明】
【技術分野】
【０００１】
本発明は埃の溜まりにくく且つパネル強度に優れ、内部に架設され透光板に挟まれた横桟をしっかりと固定できると共に外観意匠性にも優れた格子状或いは縦桟模様の透光パネル及びそれ用いた間仕切りや戸などの建材に関する。
【背景技術】
【０００２】
間仕切や戸などの建材には見通しをよくしたり、又は採光のために採光部を形成したものがある。従来の採光部を有する建材には、採光部に１枚のガラスやアクリル板などの透光性パネルを嵌め込んだものや、採光部の表裏両面に２枚の透光性パネルを嵌め込んだ、所謂２重ガラス構造のものとがある。
【０００３】
採光部に１枚の透光性パネルを嵌め込んだ間仕切パネル（特許文献１）では、透光性パネルの補強と装飾のためその両面に格子が嵌め込まれているものがある。このような間仕切パネルでは、横桟の上に埃がたまりやすく、掃除をしたとしても縦桟と横桟の隅に埃が残りきれいに清掃することができないという問題があった。その他、透光性パネルが１枚では、断熱性や遮音性に乏しいという問題もあった。
【０００４】
これに対して特許文献２の図１〜３に記載されている間仕切パネルは、縦枠材間に横枠材が架設された方形の枠体に複数本の縦桟を複雑なバネ機構で取り付け、この縦桟を表裏から挟むようにその両側に疑似横桟を数段に亘って取り付け、この疑似横桟間に横長の透光性パネルを取り付けて枠体をカバーしたものである。これにより枠体内において、表裏二枚の透光性パネルの間に設けられた縦桟と上下の透光性パネルに嵌め込まれた疑似横桟により、採光部にあたかも格子が設けられたように見えるとしている。
【先行技術文献】
【特許文献】
【０００５】
【特許文献１】実開昭６２−１６６９９３号公報
【特許文献２】特許４３０３８５３号公報
【発明の概要】
【発明が解決しようとする課題】
【０００６】
しかしながらこの場合、埃のたまらない縦桟が２枚の透光性パネルの間に設けられ、埃のたまりやすい疑似横桟が外部に露出しているため、掃除をした時疑似横桟の隅に埃が依然として残留する。
【０００７】
なお、特許文献２の段落番号００２３に、上記の分割された透光性パネルを１枚のパネルとし、その中間部に左右方向を向く金属板またはテープなどを貼着するか、または単に着色する手段により、擬似横桟を形成してもよい。この場合、透光性パネルの内面を、緩衝材を介して縦桟の前後面に当接させるようにするのがよい、と記載されている。この場合、金属板は兎も角、薄いテープでは埃が溜まりにくい（但し、薄いテープの粘着層がテープの端面に露出している場合は、ここに埃が堆積することは避けられない。）とは言えるものの、透光性パネルは表裏から長い縦桟および横桟だけで挟まれるだけであり、これらに固定されていないためパネル強度が弱く、採光部内での暴れや透光性パネルが割れる危険性があるというパネル全体としても強度不足という問題もあった。加えて、その構造も複雑で格子組に非常に手間がかかるため生産性が悪いという問題もある。そこで埃と強度対策を兼ねて前後２枚の透光性パネルの間にて横桟を架設することも考えられるが、細長い横桟の固定が両側の縦枠材へのビス固定だけであるため、ドアとして使用した場合、開閉の衝撃で細長い横桟がバタつく恐れがある。
【０００８】
また、特許文献１の格子模様は、パネル全面が透光板で覆われ、内部に格子が収納されているものが開示されているが、この場合、表面の透光板が強調されて格子模様が見えにくく、意匠性に劣る。
【０００９】
本発明は、横桟が内部に収納されていて外部に露出せず、埃が溜まりにくく且つ強度的に優れ、ドアとして使用した場合でも開閉の衝撃で細長い横桟がバタつかず、加えて透光板と縦桟とがほぼ同一平面に表れ、格子模様や縦桟模様が程よく強調されて優れた外観を呈する透光パネルおよびそれを用いた建材を提供するにある。
【課題を解決するための手段】
【００１０】
請求項１は、前記課題を達成するための透光パネルＡ（第１実施例）に関し（図２−６）、
左右一対で、その対向内側面３ｂの表裏両角部を長手方向に沿って段状に切落して形成されたパネル端取付段部３ａを有する縦枠材３と、前記縦枠材３の上下両端部にそれぞれ架設された横枠材２とで構成された枠体１と、
前記縦枠材３間に架設された１乃至複数本の内側横桟５と、
枠体１の幅方向にて分割された縦長で、枠体１の表裏に配設された複数枚の透光板７と、
隣接する透光板７の間に配設され、該側辺部７ａを覆う外側縦桟８とで構成され、
透光板７の側辺の外面側が段状に切落されて薄肉の側辺部７ａが形成され、
外側縦桟８の側辺の内面側が段状に切落されて内面側に形成された凸条８ａの両側に、前記透光板７の側辺部７ａに嵌め込まれる、薄肉の嵌め込み用側辺部８ｂが形成されていることを特徴とする。
【００１１】
請求項２は、前記課題を達成するための透光パネルＡ（第１実施例）に関し（図２−６）、請求項１の透光パネルＡにおいて、外側縦桟８の凸条８ａの内面を化粧面８ｓとすることを特徴とする。
【００１２】
請求項３は、前記課題を達成するための透光パネルＡ（第１実施例）に関し（図２−６）、請求項１又は２の透光パネルＡにおいて、透光板７の側辺部７ａに化粧面７ｓを設けたことを特徴とする。
【００１３】
請求項４は、前記課題を達成するための透光パネルＡ（第２実施例）に関し（図７−１１）、請求項１の透光パネルＡにおいて、
横枠材２と内側横桟５との間、或いは横枠材２と内側横桟５との間及び上下にて隣接する内側横桟５との間に１乃至複数の内側縦桟６が外側縦桟８に沿って更に取り付けられ、
内側縦桟６の表裏両面に長手方向全長に亘る凹溝６ａが形成され、且つ、
前記凹溝６ａに一致して内側横桟５の表裏両面に取付溝５ａが形成され、
外側縦桟８の凸条８ａが前記凹溝６ａ及び取付溝５ａに嵌め込まれて固着されるようになっていることを特徴とする。
【００１４】
請求項５は、請求項１〜４の透光パネルＡに関し（図３、８）、
内側横桟５の前後幅Ｌは、縦枠材３の前記パネル端取付段部３ａ間の内側面３ｂの前後幅Ｌに等しく形成されていることを特徴とする。
【００１５】
請求項６は、請求項４の透光パネルＡに関し（図８）、
内側縦桟６の前後幅Ｌは、内側横桟５の前後幅Ｌに等しく形成されていることを特徴とする。
【００１６】
請求項７は請求項１〜６のいずれかに記載された透光パネルＡを利用した戸や間仕切などの建具Ｂに関し、
請求項１〜６のいずれかに記載の透光パネルＡと、
透光パネルＡの少なくとも一方の側端に設けられ、透光パネルＡの縦枠材３を収納する収納溝１０ｄが端面の全長に亘って形成された縦框１０とで構成されることを特徴とする。
【発明の効果】
【００１７】
本発明は、枠体１内に組み込まれた内側横桟５、又は内側横桟５と内側縦桟６、枠体１内の表裏両面に貼られた縦長の複数の透光板７、透光板７の側辺部７ａを内側縦桟６（及び内側縦桟６を設けた場合には内側縦桟６）、に挟着する外側縦桟８とで構成されるので、透光パネルＡはこれによって一体化されて強度が飛躍的に高まり、従来は広い採光面により強度不足が指摘され、枠体１が歪んだり反ったりしていたものが、本発明では解消されこのようなことがない。
【００１８】
そして図１(ａ)〜(ｄ)のように外側縦桟８を外桟とすると、埃やちりが積もりやすい横桟５が透光板７に挟まれた内桟となり、透光パネルＡとしては埃やちりが積もらない構造とすることができる。
【００１９】
また、内側横桟５と縦枠材３のパネル端取付段部３ａ間の内側面３ｂの前後幅Ｌ（図２，３）、これらの前面及び裏面が面一となり、縦長の透光板７を枠体１の表裏に配設した時に透光板７の両側辺部７ａがパネル端取付段部３ａ、内側横桟５に接触し、且つ、前記側辺部７ａが外側縦桟８と内側横桟５とに挟持されて一体化し、透光パネルＡの強度向上に資する。
【００２０】
そして内側横桟５、縦枠材３のパネル端取付段部３ａ間の内側面３ｂの前後幅Ｌ及び内側縦桟６の前後幅Ｌとを等しくしておけば（図７，８）、これらの前面及び裏面が同様に面一となり、枠体１の表裏に配設された縦長の透光板７の両側辺部７ａがパネル端取付段部３ａ、内側横桟５及び内側縦桟６に接触し、且つ、前記側辺部７ａが外側縦桟８と内側横桟５及び内側縦桟６とに挟持されて一体化し、透光パネルＡの強度向上に更に貢献する。
【００２１】
更に言えば、内側縦桟６を設けた場合には、内側縦桟６の表裏両面に長手方向全長に亘る凹溝６ａが形成され、この凹溝６ａに一致して内側横桟５の表裏両面に取付溝５ａが形成されており、また、外側縦桟８に前記凹溝６ａ及び取付溝５ａに嵌め込まれて固着される凸条８ａが突設されているため、外側縦桟８を凹溝６ａ及び取付溝５ａに嵌め込めば、より強固に透光パネルＡの両側辺部７ａを固定できる。その場合、両側辺部７ａをこれらに接着することも可能であり、その場合はより一層の一体化が図られる。
【００２２】
加えて、切落された透光板７の側辺の薄肉の側辺部７ａに、同じく切落された外側縦桟８の嵌め込み用側辺部８ｂが嵌まり込むようになっているので、透光パネルＡとして組み上げると、透光板７と外側縦桟８の外面がほぼ面一になり、より優れた格子構造（或いは縦桟模様）とすることが出来る。
【００２３】
なお、内側縦桟６を設けない場合において、外側縦桟８の凸条８ａの内面を化粧面８ｓとしたり、透光板７の側辺部７ａに化粧面７ｓを設けることで、この化粧面７ｓ、８ｓの色柄を外側縦桟８の外面と同じ色柄或いは黒又は白その他マッチするものとすれば、外側から反対側の外側縦桟８が見えず或いは目立たず、外観意匠性を向上させることが出来る。
【００２４】
また、この透光パネルＡの縦枠材３を、縦框１０の収納溝１０ｄに収納固着すれば直ちに採光部を有する間仕切りや戸などの建材Ｂとして使用することができる。
【図面の簡単な説明】
【００２５】
【図１】(a)〜(d)は本発明にかかる建材（戸）の正面図である。
【図２】内側縦桟なしの場合の図１(d)の上部分解斜視図である。
【図３】図２の要部拡大斜視図である。
【図４】図１のＸ−Ｘ断面図である。
【図５】図１のＹ−Ｙ断面図である。
【図６】図５の分解平断面図である。
【図７】内側縦桟ありの場合の図１(d)の上部分解斜視図である。
【図８】図７の要部拡大斜視図である。
【図９】図１(a)のＸ−Ｘ断面図である。
【図１０】図１(a)のＹ−Ｙ断面図である。
【図１１】図１０の分解平断面図である。
【図１２】図１(d)の一部切欠斜視図である。
【発明を実施するための形態】
【００２６】
以下、本発明を図示実施例に従って説明するに当たって、まず、本発明の透光パネルＡについて説明する。格子状又は縦枠模様の透光パネルＡは、図１(a)〜(d)のように縦横の桟に関して、１乃至複数の内側横桟５と、外側縦桟８だけの場合（第１実施例）と、これに更に１乃至複数内側縦桟６を有する場合がある（第２実施例）。正面図的には第１、２実施例も同一形状をなす。内側縦桟６の有無を表すため、これらの図において６をかっこ書きで示す。
【００２７】
そこでまず、内側縦枠６なしの第１実施例の図１(d)に記載の透光パネルＡに付いて説明し、その中で違いを中心に図１(a)〜(c)の内側縦枠６なしの第１実施例の透光パネルＡに付いて説明する。図１(d)に記載の第１実施例の透光パネルＡと図１(a)〜(c)の第１実施例の透光パネルＡとは内側縦桟６及び外側縦桟８の数が異なるのみであり、その他は同じである。
続いて、第２実施例に付いて説明するが、基本的には第１実施例と同じで、この場合は、内側縦桟６が付加され、且つ、内側縦桟６に凹溝６ａ、内側横桟５に取付溝５ａが形成され、且つ、外側縦桟８の凸条８ａがこれらに取り付けられる形状を有するという点が相違するのみである。
【００２８】
第１実施例は、図２のように、透光パネルＡの枠体１は、左右一対の縦枠材３の上端部と下端部とに横枠材２が架け渡され、ビス４の打ち込み或いは接着その他適宜な固着手段でにて架設されて形成される。そしてこのような枠体１とされた状態において、縦枠材３の対向内側面３ｂの表裏両角部は、長手方向に沿って段状に切落され、上下全長に亘ってパネル端取付段部３ａが形成されている。ここでこの前面側と裏面側のパネル端取付段部３ａの間の内側面３ｂの前後幅をＬとする。なお、これに限定されるものではないが、前記パネル端取付段部３ａの深さは後述する透光板７の側辺に形成された段状の側辺部７ａの厚みとほぼ等しくなるように切落するのが好ましい。
【００２９】
図１(ｂ)(ｄ)の場合、上下の両横枠材２間において、ビス４の打ち込み等にて左右の縦枠材３間に複数（本図の実施例では１２本）の内側横桟５が上下方向にて等間隔で複数段にて架設されている。これに対して、図１(ａ)(ｃ)では中央に１本の内側横桟５が架設されている。なお、いずれの図も横桟５は水平に架設されているが、水平に限られず傾斜していてもよい。また、複数段にて架設される場合は等間隔でなくてもよいし、デザインに合わせて異なる間隔としてもよい。そして内側横桟５の表面側と裏面側との間の前後幅をＬとすると（図３）、この前後幅Ｌは前記パネル端取付段部３ａ間の前後幅Ｌと等しい（図２）。なお、縦枠材３、横枠材２及び内側横桟５の材質は、いずれも木質材（例えば、無垢材、集成材、ＭＤＦ（中密度繊維板）、合板）からなるが、これに限られず樹脂材でもよい。また、これら木質材は必要に応じて化粧シート（図示せず）が外部から見える面に貼着されている。取り付けに当たっては、内側横桟５の表裏両面はパネル端取付段部３ａに面一に取り付けられる。なお、枠体１や横桟５の組み立てはビス固定が好ましいが、これに限られず接着その他の固着手段を採用してもよいことは言うまでもない。
【００３０】
透光板７は、後述する外側縦桟８の本数プラス１に分割された上下に長い、例えば、無色あるいは有色で透明または半透明の樹脂板（例えば、アクリル板）で、透光板７の両辺は全長にわたって段状に薄く削り取られており、この部分を側辺部７ａとする。なお、これに限られないが、後述する飾りパネル９との関係から、透光板７の全長は、枠体１の上下の横枠材２の内のりに等しい。
【００３１】
そして、透光板７の側辺部７ａには後述する外側縦桟８に一致する位置（換言すれば、側辺部７ａの全幅）で化粧面７ｓが設けられる。化粧面７ｓは、透光パネルＡを一方の側から見た時、反対側の外側縦桟８を隠す或いは仮に見えたとしても意匠性が損なわれないようにするためのものである。外側縦桟８の嵌め込み用側辺部８ｂは、前記透光板７の側辺部７ａに嵌め込まれるものであるから、ここでは側辺部７ａの内面側に化粧面７ｓが上下全長に亘って設けられる。化粧面７ｓは塗装、印刷又はテープの貼り付けなどにより形成される。化粧面７ｓ部分の色や模様は、外側縦桟８と同色又は黒或いは白、その他適宜の色が選定され、模様があれば外側縦桟８に合わせたものが選ばれる。化粧面７ｓ部分は不透明としてもよいが、反対側の外側縦桟８が認識できなければ半透明としてもよい。
【００３２】
また、透光板７が半透明の場合、光は通過し、内側横桟５はある程度見えるが反対側の外側縦桟８の裏面はよく見えない状態のものが好ましい。（なお、化粧面７ｓは上記のような役目を持つものであるから、透光板７が半透明とか有色で必ずしも外側縦桟８が反対側から見えないようであれば設けなくてもよい。）
外側縦桟８は細長い長尺物で、その長さは上の横枠材２の上面から下の横枠材２の下面までの距離に等しい。そして外側縦桟８の一方の表面中央には凸条８ａが長手方向に畝状に突設され、この部分では横断面山形の形状であり、凸条８ａの両側辺は薄肉に形成された嵌め込み用側辺部８ｂとなっている。この部分８ｂが透光板７の薄肉の側辺部７ａに嵌め込まれる。なお、外側縦桟８の上下両端部には凸条８ａがなく、この部分が横枠材２に固着される横枠材固着部８ｃである。
【００３３】
材質は、基本的には横枠材２などと同様の木質材で、例えば、ＭＤＦや合板など表面性状が外観的に劣るもののようなものが使用される場合には、外面に現れる部分は、図示しない化粧シートによってラッピングされる。この場合、化粧シートが巻かれていない外側縦桟８の凸条８ａの内面を化粧面８ｓとし、この部分を透光板７と同様、塗装、印刷又はテープの貼り付けなどにより化粧するようにする事が好ましい。化粧面７ｓ部分の色や模様は、外面と同色又は黒或いは白、その他適宜の色が選定され、模様があればこれに合わせたものが選ばれる。なお、場合に依っては、樹脂成形品或いは金属板なども使用される。
【００３４】
飾りパネル９は、横枠材２の前面、及び裏面を被覆するもので、左右の幅は縦枠材３とこれに隣接する外側縦桟８の間隔又は外側縦桟８同士の間隔に等しく、上下の高さは、横枠材２に等しい。材質は横枠材２と同様で、露出面には化粧シート（図示せず）が貼着されている。
【００３５】
製作手順の一例を示す。枠体１は上記のように縦枠材３と横枠材２とで方形に組まれ、その間に１乃至複数本の内側横桟５が、複数本の場合には所定の間隔でこれらが内桟として架設されている。いずれもビス打ち或いは接着その他適宜の方法で固定される。
【００３６】
内側横桟５の取り付けが完了すると、縦長の透光板７が枠体１の表裏にそれぞれ配設される。両端の透光板７の外側の側辺部７ａは縦枠材３のパネル端取付段部３ａに嵌め込まれ、必要に応じてこの部分３ａにビス或いは接着その他の方法で固着される。そして、隣接して配設された透光板７の間には外側縦残８の凸条８ａの幅が開けられるように配置される。そして透光板７の上下方向の長さは、透光板７の上下端面は横枠材２の内面に接する長さとなっている。なお、本実施例では勿論、これに限られず、例えば、横枠材２の透光板７の上下端部が重なる部分を切除し、この部分に透光板７の上下端部が嵌まり込むようにしてもよい。
【００３７】
続いて、透光板７の間に外桟である外側縦桟８が配設され、その凸条８ａが透光板７の間に嵌め込まれ、凸条８ａの両側の嵌め込み用側辺部８ｂが、両隣りの透光板７の側辺部７ａに嵌め込まれて接着される。そして、凸条８ａは１乃至複数の内側横桟５に接着され、上下の横枠材２の表裏両面には前記凸条８ａのない平坦な横枠材固着部８ｃが接着される。
【００３８】
最後に、透光パネルＡの表裏両面において、四角形の飾りパネル９を上下の横枠材２上に貼着し、上下の横枠材２の露出部分を被覆する。これにより強度的に優れた透光パネルＡを得ることが出来る。なお、本実施例では固着手段として接着を用いているが、外表面に露出しない限りにおいては、頭頂部が平たいビスを用いることも可能である。
【００３９】
次に、この透光パネルＡを間仕切や戸などの建材Ｂの部材として用いる場合に付いて説明する。建材Ｂとして用いる場合は、透光パネルＡの少なくとも一方の側端に縦框１０を設けることになるが、この縦框１０は、例えばコ字状のアルミサッシ製の框材１０ｂと、框材１０ｂの内側奥と開口付近で、縦枠材３がパネル端取付端部３ａに固定された側辺部７ａと共に丁度嵌まり込むスペースを開けて内側に取り付けられた芯材１０ａとで構成されている。そしてこの透光パネルＡの縦枠材３の全体が嵌め込まれる開口部分を収納溝１０ｄとし、収納溝１０ｄを構成する框材１０ｂの延出部分をカバー片１０ｃとする。そして、図５のように収納溝１０ｄに透光パネルＡの縦枠材３の全体を嵌め込み、縦枠材３を開口側の芯材１０ａに接着固定する。これによりパネル端取付段部３ａは収納溝１０ｄ内に入り込み、固着された透光板７の側端部がカバー片１０ｃによって隠される。
【００４０】
本実施例では左右の縦框１０は対称であるが、勿論、非対称であってもよいし、場合に依っては一方だけでもよい。これにより建材Ｂ（例えば、間仕切りや戸）が出来上がる。
【００４１】
次に、第２実施例に付いて説明する。前述のように、第２実施例は第１実施例に対して内側縦桟６が付加され、且つ、内側縦桟６に凹溝６ａ、内側横桟５に取付溝５ａが形成され、且つ、外側縦桟８の凸条８ａがこれらに取り付けられるという点が相違するのみであるので、この点を中心に説明する。
【００４２】
内側横桟５が多段で架設されている図１(ｂ)(ｄ)の内側縦桟６は短寸で、内側横桟５が１本だけ架設されている図１(ａ)(ｃ)の内側縦桟６は長寸である。内側縦桟６は、横枠材２と中央の内側横桟５との間（図１(ａ)(ｃ)）、或いは横枠材２とこれと上下にて隣接する内側横桟５との間及び上下にて隣接する内側横桟５間にて間隔を開けて横方向に配設され、且つ上下方向では直線状に配設される（図１(ｂ)(ｄ)）。これら内側縦桟６の上下両端面が上記部材の接触面に接着固定されて取り付けられる。いずれにせよ内側縦桟６の長さは固着される横枠材２と内側横桟５又は内側横桟５間の寸法に一致する。
【００４３】
この内側縦桟６の表裏両面には全長にわたって凹溝６ａが形成され、これが固着された内側横桟５に至る。
【００４４】
内側横桟５にはこの凹溝６ａに同幅同深さで連通するように取付溝５ａが内側横桟５の表裏両面に形成されている。
【００４５】
そして、内側横桟５を隔てて上下に隣接する内側縦桟６は内側横桟５に対して交差（これに限られないが、例えば直交）して直線状に取り付けられる。なお、内側縦桟６の凹溝６ａの両側の部分を突条部６ｂとする（図８）。
【００４６】
第１実施例のように枠体１及び内側横桟５を組み立てた後、横枠材２と中央の内側横桟５との間、又は、上下の横枠材２とこれに近接する内側横桟５との間及び上下にて隣接する内側横桟５同士の間に内側縦桟６が配設される。即ち、図１(ａ)(ｃ)の場合は１本の内側縦桟６が横枠材２と中央の内側横桟５との間に配設され、図１(ｂ)(ｄ) の場合は複数本の内側縦桟６が横枠材２と内側横桟５及び横桟間に配設され、その上下の端面がこれらに接着固定される。配置の方法については前述の通りである。これら上下の内側横桟５は一直線上に配置され、内側縦桟６の凹溝６ａと内側横桟５の取付溝５ａとは一致した形状であり互いに連通状態で接続される。
【００４７】
透明板７の組み立ても第１実施例と同様で、枠体１の表裏両面に透光板７をそれぞれ配設する。そして、外側縦桟８を透光板７の間に配置し、同様に両面テープ或いは接着剤を利用して上記のように一直線上に並んだ内側縦桟６の凹溝６ａ及び取付溝５ａに嵌め込んで接着する。この場合、凸条８ａは第１実施例と異なり、凹溝６ａや取付溝５ａの溝底にほぼ接する高さを有する。そして、上下の横枠材２の表裏両面には前記凸条８ａのない平坦な横枠材固着部８ｃが接着される。そして、外側縦桟８の嵌め込み用側辺部８ｂは透光板７の側辺部７ａに同様に固着される。
【００４８】
第２実施例の透光パネルＡを間仕切や戸などの建材Ｂの部材として用いる場合は第１実施例と同じであるので説明を省略する。なお、第２実施例では、内側縦桟６が設けられているので、強度をより高めることが出来るのみならず、この内側縦桟８が外側縦桟６と一体になって見え、第１実施例より優れた外観を呈することになる。
【符号の説明】
【００４９】
Ａ：透光パネル、Ｂ：建具、Ｌ：前後幅、Ｗ：左右幅、１：枠体、２：横枠材、３：縦枠材、３ａ：パネル端取付段部、：３ｂ：内側面、４：ビス、４ａ：頭頂部、５：内側横桟、５ａ：取付溝、６：内側縦桟、６ａ：凹溝、６ｂ：突条部、７：透光板、７ａ：側辺部、７ｓ：化粧面、：８：外側縦桟、８ａ：凸条、８ｂ：嵌め込み用側辺部、８ｃ：横枠材固着部、８ｓ：化粧面、９：飾りパネル、１０：縦框、１０ａ：芯材、１０ｂ：框材、１０ｃ：カバー片、１０ｄ：収納溝。
【図１】
2016176278.tif 000003
【図２】
2016176278.tif 000004
【図３】
2016176278.tif 000005
【図４】
2016176278.tif 000006
【図５】
2016176278.tif 000007
【図６】
2016176278.tif 000008
【図７】
2016176278.tif 000009
【図８】
2016176278.tif 000010
【図９】
2016176278.tif 000011
【図１０】
2016176278.tif 000012
【図１１】
2016176278.tif 000013
【図１２】
2016176278.tif 000014